(57)【要約】【課題】通信品質の状態を段階的に利用者に報知することによって、通信エリアの限界付近における利用者の判断基準を明確にすることができるページャ受信機を提供する。【解決手段】同期コードワード信号ＳＣ中に発生する誤りビットの総数ｋを統計的に計数管理することによって、この誤りビットの総数ｋに応じて、受信電波の入力電界強度すなわち受信品質の状態を、表示部１０７に段階分け表示する。【選択図】　図６
2004040572.tif 000002
【特許請求の範囲】
【請求項１】
復号部、コードワード検出部、信号処理部、表示部を備えたページャ受信機であって、
前記コードワード検出部において検出される同期コードワード信号中に発生する誤りビット数を前記信号処理部にて集計し、複数の同期コードワード信号について統計的に計数管理することによって、受信する同期コードワード信号における受信ビット誤り率を等価的に演算し、演算した受信ビット誤り率を基に、予め定めた表示条件を参照して段階分けに応じた受信品質状態を前記表示部に表示することを特徴とするページャ受信機。
【請求項２】
復号部、コードワード検出部、信号処理部、表示部を備えたページャ受信機であって、
前記復号部によって復号されるメッセージコードワード信号の誤り訂正や誤り検出の過程及び結果を前記信号処理部にて集計し、複数のメッセージコードワード信号について統計的に計数管理することによって、受信するメッセージコードワード信号における受信ビット誤り率を等価的に演算し、演算した受信ビット誤り率を基に、予め定めた表示条件を参照して段階分けに応じた受信品質状態を前記表示部に表示することを特徴とするページャ受信機。
【請求項３】
前記表示条件は、前記同期コードワード信号を先頭に備えたバッチ信号の受信数に応じて複数備えられていることを特徴とする請求項１又は２記載のページャ受信機。
【請求項４】
前記表示条件の一として、前記コードワード検出部において検出される同期コードワード信号中に発生する誤りビットが所定回数連続して無かった場合は、前記表示部に表示される受信品質状態の表示を上位段階に変更することを特徴とする請求項１記載のページャ受信機。
【請求項５】
前記表示条件の一として、前記コードワード検出部において検出される同期コードワード信号中に発生する誤りビットが所定回数連続して無かった場合は、前記表示部に表示される受信品質状態の表示を最上位段階に変更することを特徴とする請求項１記載のページャ受信機。
【発明の詳細な説明】
【０００１】
【発明の属する技術分野】
本発明は、電波の受信状況の表示機能を備えたページャ受信機に関するものである。
【０００２】
【従来の技術】
従来、無線伝送を用いる携帯型通信端末装置では、通信品質の状態を利用者に知らせる手段を有するのが一般的であり、利用者は画面等で表示される通信品質の状態を参考にして、その利用場所を選択する。
【０００３】
図１０は、従来の携帯型通信端末装置の一例としての、一般の携帯型電話機の構成図である。
【０００４】
図１０において、携帯型電話機１００は、アンテナ１０１，アンテナ共用部１０２を備え、アンテナ共用部１０２には、受信系の受信高周波部１２１と、送信系の送信アンプ部１１１とが、それぞれ接続されている。
【０００５】
受信系の受信高周波部１２１は、高周波増幅部，ミキサ部を備え、局部発振部１０３からは局部発振信号が供給される。
【０００６】
受信系は、アンテナ１０１から受信した受信高周波信号が、受信高周波部１２１に供給されると、高周波増幅部で増幅され、ミキサ部で局部発振信号により周波数変換されて、受信中間周波数信号を生じる。この受信中間周波数信号は、受信中間周波部１２２に供給されて増幅された後、復調部１２３に供給されて復調される。復調部１２３からの復調信号は、信号処理部１０４によって信号変換処理された後、音声処理部１０５によって音声信号に変換されて、受話部１２６から音声出力される。
【０００７】
これに対し、送信系は、送話部１１４から音声が入力されると、音声処理部１０５で音声信号に変換され、信号処理部１０４によって信号変換処理された後、変調部１１３によって送信中間周波数信号に変調される。この送信中間周波数信号は、送信部１１２に供給されて、局部発振部１０３からの局部発振信号に基づいて高周波信号に周波数変換される。送信部１１２からの高周波信号は、送信アンプ部１１１に供給され、高周波送信信号が生じる。
【０００８】
なお、図１０において、１０６は、電源スイッチ，ダイヤルキー，発信キー等の操作キーが備えられた操作部、１０７は、操作状況等の各種情報を表示するための液晶表示装置からなる表示部を示す。
【０００９】
ところで、この一般の携帯型電話機１００では、利用者に電波の受信状況、すなわち通信品質の状態を知らせる構成は、次のようになっている。
【００１０】
図１０において、一般の携帯型電話機１００では、上述した受信中間周波部１２２は、一般に、受信入力レベルが変わっても出力レベルがほぼ一定のレベルになるように振幅を制限するリミッタアンプ等の手法によって　復調部１２３において復調するのに適したレベルの信号に変換する構成になっている。そして、このリミッタアンプでは、その回路的な性質により、受信入力レベルすなわち入力電界強度（受信電波の強さ）に比例したリミッタ電流がその回路内部を流れる。
【００１１】
そこで、一般の携帯型電話機１００では、このリミッタ電流を取り出し、図１０に示す受信電界検出部１２７に供給して、電波の受信状況を検出する構成となっている。この受信電界検出部１２７では、リミッタアンプのリミッタ電流を抵抗器に流すことにより、リミッタ電流の電流値すなわち受信電波の強さに比例した電圧値に変換する。その上で、受信電界検出部１２７は、この受信電波の強さに比例した電圧値、すなわち入力電界強度に比例した電圧値を、アナログデジタルコンバータによってデジタル信号に変換し、通信品質を示す指標としての受信レベル信号を表示部１０７に出力して、利用者に通信品質の状態（電波の受信状況）を報知する。
【００１２】
図１１は、受信電界検出部によって表示部に表示される、通信品質の状態を示す指標の表示例の説明図である。
【００１３】
一般の携帯型電話機１００においては、図１１に示すように、通信品質の状態は、アンテナマークをインデックスに、それぞれ高さの異なる３本のバー表示の組み合わせを利用して、アナログデジタルコンバータによって変換されたデジタル信号が、受信入力基準電圧の目安範囲の何れに属するかに対応して表示される。
【００１４】
したがって、利用者は、アンテナマークの隣りにバー表示が何本表示されているかを、表示部１０７で視認することにより、現在いる場所の通信品質の状態を段階的に確認することができる（この場合は、図１１中のＮｏ．１〜４で表される４段階で確認できる）。
【００１５】
【発明が解決しようとする課題】
しかし、携帯型通信端末装置にあっても、従来のページャ受信機においては、通信品質が良好であるか不適であるかの判定及び表示を行うことは可能であったが、その構成上の違いから、上述した携帯型電話機１００の場合のように、現在いる場所の通信品質の状態を段階的に判定して表示することは、不可能であった。
【００１６】
すなわち、従来のページャ受信機は、携帯型電話機１００と異なり音声信号を取り扱わず、数字情報／文字情報等を取り扱うだけなので、音声処理部１０５を必要としないばかりか、受信中間周波部１２２においてもリミッタアンプがリミッタ電流を取り出せる構造となっておらず、復調部１２３によって復調された復調信号は、後述する復号部によって復号された後、数字情報／文字情報等のデータが抽出されて信号処理部１０４に供給される構成になっている。そして、信号処理部１０４は、この復号部から供給されるデータに基づいて、当該データに対応して予め定められている数字情報／文字情報を、表示部１０７に表示する構成になっている。
【００１７】
そのため、従来のページャ受信機では、図示せぬ送信側で、数字情報／文字情報等のデータの送信に当たって予め付される所定のコードワード（例えば、後述する同期コードワードＳＣ等）を正しく復号できたか否かで、その通信品質の状態を直接検出し、表示部１０７に通信可能状態又は通信不可能状態を表示する構成になっている。
【００１８】
この結果、従来のページャ受信機では、通信エリアの限界付近では、いきなり通信可能状態から通信不可能状態に移行してしまうため、通信エリアの限界付近における利用者の判断基準が不明確になる、という問題点があった。
【００１９】
また、携帯型電話機１００のように、通信品質の状態を段階的に利用者に報知するには、そのためにわざわざ受信中間周波部１２２のリミッタアンプをリミッタ電流を取り出せる構造に変更し、さらに受信電界検出部１２７を追加して設けなければならない。
【００２０】
このことは、従来のページャ受信機における受信回路のハードウェア構成の変更を行わなければならず、コストがかかるばかりか、ページャ受信機の携帯型電話機に対する小型化等の利便性を損うことにもなる。
【００２１】
本発明は、以上述べた問題点を解決し、従来のページャ受信機の受信回路のハードウェア構成の変更を最小限に抑え、通信品質の状態を段階的に利用者に報知することによって、通信エリアの限界付近における利用者の判断基準を明確にすることができるページャ受信機を提供することを目的とする。
【００２２】
【課題を解決するための手段】
上記した課題を解決するために、本発明のページャ受信機は、復号部、コードワード検出部、信号処理部、表示部を備えたページャ受信機であって、
前記コードワード検出部において検出される同期コードワード信号中に発生する誤りビット数を前記信号処理部にて集計し、複数の同期コードワード信号について統計的に計数管理することによって、受信する同期コードワード信号における受信ビット誤り率を等価的に演算し、演算した受信ビット誤り率を基に、予め定めた表示条件を参照して段階分けに応じた受信品質状態を前記表示部に表示することを特徴とする。
【００２３】
また、本発明のページャ受信機は、復号部、コードワード検出部、信号処理部、表示部を備えたページャ受信機であって、
前記復号部におけるメッセージコードワード信号の誤り訂正や誤り検出の過程及び結果を前記信号処理部にて集計し、複数のメッセージコードワード信号について統計的に計数管理することによって、受信するメッセージコードワード信号における受信ビット誤り率を等価的に演算し、演算した受信ビット誤り率を基に、予め定めた表示条件を参照して段階分けに応じた受信品質状態を前記表示部に表示することを特徴とする。
【００２４】
本発明のページャ受信機によれば、従来のページャ受信機の受信回路のハードウェア構成の変更を最小限に抑え、通信品質の状態を段階的に利用者に報知することによって、通信エリアの限界付近における利用者の判断基準を明確にすることができる。
【００２５】
【発明の実施の形態】
以下、添付図面を参照しながら、本発明のページャ受信機１の好適な実施の形態について、詳細に説明する。
【００２６】
図１は、本発明の一実施の形態によるページャ受信機の構成図である。
なお、本実施の形態のページャ受信機１を説明するに当たっては、図１０で説明した携帯型電話機１００の構成と同様又は同一の構成部分について、同一の符号を付し、その説明を省略する。
【００２７】
本実施の形態のページャ受信機１では、復調部１２３によって復調された復調信号は、復号部２４に供給される。
【００２８】
復号部２４は、復調部１２３から出力される復調信号（すなわち、図示せぬ送信側で、高周波変換される前に、符号化器によって符号化されて生成された符号化データ信号に対応）を、送信側との間で予め定められた手順に従って復号し、復号信号（送信側で符号化される前の送信信号に対応する受信信号）を生成する。
そして、復号部２４は、この復号信号（受信信号）を、コードワード検出部２５に供給する。
【００２９】
コードワード検出部２５は、受信信号の中に含まれる同期信号を検出し、この同期信号を検出した場合には、同期検出信号を信号処理部４に出力する。
【００３０】
なお、本実施の形態では、ハードウェア的には、信号処理部４はＣＰＵにより構成され、復号部２４及びコードワード検出部２５は専用の集積回路（ＬＳＩ）によって構成される一方、同期検出信号としての後述する同期コードワード検出信号は、復号部２４及びコードワード検出部２５を構成するＬＳＩから、信号処理部４を構成するＣＰＵに割込信号として供給される。
【００３１】
そして、信号処理部４は、コードワード検出部２５からの同期検出信号が供給されると、この同期検出信号の供給タイミングに合わせて、復号部２４から復号信号を取り込み、その取り込みデータ（メッセージデータ）に対応する数字情報／文字情報等を表示部１０７に表示する。
【００３２】
ところで、本実施の形態のページャ受信機１の場合、その復号信号の受信処理方式には、ＰＯＣＳＡＧ（Ｐｏｓｔ　Ｏｆｆｉｃｅ　Ｃｏｄｅ　Ｓｔａｎｄａｒｄｉ−ｚａｔｉｏｎ　Ａｄｖｉｓｏｒｙ　Ｇｒｏｕｐ）方式の無線呼出（ページャ）システムが、使用されている。
【００３３】
図２は、ＰＯＣＳＡＧ方式の無線呼出（ページャ）システムにおける受信信号のフォーマットの説明図である。
図２において、プリアンブル信号ｐｒｅは、無線伝送されるデジタル信号のビット間の同期を確立するための信号である。このプリアンブル信号ｐｒｅは、最低５７６ビット以上の‘１，０’の繰り返しパターンによって構成されている。
【００３４】
このプリアンブルｐｒｅの検出は、コードワード検出部２５によって、復号信号の中に含まれる‘１，０，１，０，１，０’又は‘０，１，０，１，０，１’の６ビットのビットパターンを検出することによって行われる。
【００３５】
また、同期コードワード信号ＳＣは、プリアンブル信号ｐｒｅに続く各データバッチＤＢの先頭に位置し、データバッチＤＢの読み込みの開始を指示するために用いられる信号である。
【００３６】
図３は、同期コードワード信号のビット構成の説明図である。
同期コードワード信号ＳＣは、３１ビットから構成される最長符号系列（ｍ系列）のビットパターンに、１ビットのパリティビットを付加し、全体として３２ビットの、図３に示すような構成となっている。
【００３７】
その上で、図２に示すように、受信信号は、このプリアンブル信号ｐｒｅと、当該プリアンブル信号ｐｒｅに続いて、先頭の同期コードワードＳＣとこれに連続する８個のフレームとから構成されるデータバッチＤＢが、適宜数だけ連結されて構成されている。
【００３８】
そして、１フレームは、２コードワード（６４ビット）のデータ長さからなり、各コードワードは、当該ページャ受信機１を特定するアドレス信号を送信するためのアドレスコードワード信号ＡＤＤと、数字情報／文字情報等のメッセージ信号を送信するためのメッセージコードワード（ユーザデータ）信号ＭＥＳとに分類される。
【００３９】
図４は、メッセージコードワード信号の構成の説明図である。
メッセージコードワード（ユーザデータ）信号ＭＥＳは、その長さが３２ビットで構成され、ビット番号１が当該コードワードがアドレス信号であるか、メッセージ信号であるかを示すフラグビットになっている。そして、メッセージコードワードＭＥＳすなわちメッセージ信号の場合は、フラグビットが‘１’になっており、その後のビット番号２〜ビット番号２１までは、メッセージビットとなっていて、この部分が数字情報／文字情報等に対応したメッセージデータ部分となっている。図４の場合は、数字情報‘３６８１　’に対応して、‘１１０００１１００００１１０００００１１’といった２０ビットのメッセージデータとなっている。
【００４０】
さらに、メッセージコードワード（ユーザデータ）信号ＭＥＳは、このメッセージビットの後のビット番号２２〜ビット番号３１までが、ＢＣＨチェックビットとなっており、最後の１ビット（ビット番号３２）が偶数パリティビットになっている。ＢＣＨチェックビットは、ビット番号１〜ビット番号２１のビットデータから生成されたＢＣＨ符号（　Ｂｏｓｅ−Ｃｈａｕｄｈｕｒｉ−Ｈｏｃｑｕｅｎｇｈｅｍ　Ｃｏｄｅ：誤り訂正用ブロック符号　）である。
【００４１】
そして、本実施の形態のページャ受信機１の場合、そのコードワード検出部２５は、受信信号の中に含まれる前述の図３に示した同期コードワード信号ＳＣを検出すると、同期検出信号Ｓｙｎを信号処理部４に供給する。また、コードワード検出部２５は、この同期コードワード信号ＳＣの検出の際、その誤りビットのチェックも行っており、その誤りビット数の状況を表すエラー状況信号Ｅｓｃを、同期検出信号Ｓｙｎとともに信号処理部４に供給するようになっている。
【００４２】
これに対し、復号部２４は、メッセージコードワード（ユーザデータ）信号ＭＥＳを受信して、メッセージコードワード信号ＭＥＳに含まれる数字情報／文字情報等に対応したメッセージデータＭＤ部分を抽出して信号処理部４に供給する。そして、復号部２４は、メッセージコードワード信号ＭＥＳからメッセージデータＭＤ部分を抽出する際に、前述したメッセージコードワード信号ＭＥＳに含まれるＢＣＨチェックビットによるメッセージコードワード信号ＭＥＳの誤りビットのチェックも行っており、その誤りビット数の状況を表すエラー状況信号Ｅｍｅｓを、メッセージデータＭＤ部分とともに信号処理部４に供給するようになっている。
【００４３】
図５は、コードワード検出部，復号部から信号処理部に供給されるエラー状況信号の説明図である。
本実施の形態の場合、復号部２４，コードワード検出部２５からは、同期コードワード信号ＳＣ，メッセージコードワード信号ＭＥＳを受信し、同期検出信号Ｓｙｎ，メッセージデータＭＤ部分を信号処理部に供給する毎に、受信した同期コードワード信号ＳＣ，メッセージコードワード信号ＭＥＳについて、エラー無し，１ビットエラー，２ビットエラー，３ビット以上エラーが、図５に示すようなビットデータで、併せて信号処理部４に供給される。
【００４４】
次に、本実施の形態のページャ受信機１における、信号処理部４による受信状況処理の実施例について説明する。
なお、各実施例の説明に当たっては、簡便のため、受信信号は、１００バッチで構成されているものとする。
この場合、１００バッチ全体における同期コードワード信号ＳＣの総ビット数は、３２×１００より３２００ビットとなる。
【００４５】
＜第１の実施例＞
図６は、信号処理部による受信状況処理の第１の実施例のフローチャートである。
以下、図６に基づいて、本実施例の信号処理部４による受信状況処理について説明する。
【００４６】
信号処理部４は、同期検出信号Ｓｙｎがコードワード検出部２５から供給され，同期コードワード信号ＳＣを検出すると（ステップＳ１０）、データバッチＤＢの数を計数するバッチカウンタＢの値ｂをインクリメントし（ステップＳ１１）、データバッチＤＢの欠落等を判断するためのインターバルカウンタ（タイムカウンタ）ｔをリセット／スタートしてその計時を開始させるとともに（ステップＳ１２）、コードワード検出部２５から供給されるエラー状況信号Ｅｓｃにより、今回の同期コードワード検出信号ＳＣの検出の際の誤りビット数ｋｉｎを取得する（ステップＳ１３）。
【００４７】
これに対し、同期検出信号Ｓｙｎがコードワード検出部２５から供給されていない場合は（ステップＳ１０）、信号処理部４は、インターバルカウンタ（タイムカウンタ）ｔの値がデータバッチＤＢの長さ（５４４ビット）の受信時間よりも長い予め定められたエラー時間ｔ０を超えているか否かを判断し（ステップＳ２０）、超えていない場合は、同期コードワード信号ＳＣの検出処理（ステップＳ１０）を行う一方、越えている場合は、後述するステップＳ２１以下の処理を行う。
【００４８】
信号処理部４は、前述のステップＳ１３で誤りビット数ｋｉｎを取得すると、誤りビット数ｋｉｎが３ビット以上であるか否かを判別する（ステップＳ３０）。
【００４９】
そして、このステップＳ３０による判別で、誤りビット数ｋが２ビット以下である場合は、信号処理部４は、誤りビット数ｋｉｎの積算値を計数する誤りビット数カウンタＫの値ｋに、誤りビット数ｋｉｎを加算して、誤りビット数カウンタＫの値ｋを更新する（ステップＳ３１）。その上で、信号処理部４は、誤りビット数カウンタＫの値ｋが３２ビットを超えているか否かについて判別し（ステップＳ４０）、誤りビット数カウンタＫの値ｋが超えていない場合は、バッチカウンタＢの値ｂが１００バッチになっているか否かを確認する（ステップＳ５０）。この結果、ステップＳ５０の処理で、バッチカウンタＢの値ｂが未だ１００バッチになっていない場合は、前述した同期検出信号Ｓｙｎの検出処理（ステップＳ１０）に戻り、以上説明したステップＳ１０，２０，３０，４０，５０の一連の処理を繰り返す。
【００５０】
一方、この一連の処理において、ステップＳ３０で誤りビット数ｋｉｎが３ビット以上であると判別された場合、またステップＳ４０で誤りビット数カウンタＫの値ｋが３２ビットを超えていると判別された場合は、処理部４は、先の図１１のＮｏ．４で示した通信品質の状態を、バー表示は行わずにアンテナマークのインデックスのみを表示部１０７に表示して行い（ステップＳ２１）、通信品質の状態（電波の受信状況）が悪いことを、利用者に対して報知する。
【００５１】
これに対し、ステップＳ５０で、バッチカウンタＢの値ｂが１００バッチになっている場合は、誤りビット数カウンタＫの値ｋが０であるか否か（ステップＳ６０），３以下であるか否か（ステップＳ７０），１６以下であるか否か（ステップＳ８０）をそれぞれ判別する。
【００５２】
これにより、誤りビット数カウンタＫの値ｋが０の場合は、処理部４は、先の図１１のＮｏ．１で示したアンテナマークのインデックスともに３本のバーを表示部１０７に表示し、通信品質の状態（電波の受信状況）が良好であることを、利用者に対して報知する（ステップＳ６１）。同様にして、処理部４は、誤りビット数カウンタＫの値ｋが３ビット以下の場合は、アンテナマークのインデックスともに２本のバーを表示部１０７に表示し（図１１の表示図案Ｎｏ．２）、通信品質の状態がまあまあ良好であることを（ステップＳ７１）、誤りビット数カウンタＫの値ｋが１６ビット以下の場合は、アンテナマークのインデックスともに１本のバーを表示部１０７に表示し（図１１の表示図案Ｎｏ．３）、通信品質の状態がやや悪いことを（ステップＳ６１）、利用者に対してそれぞれ報知する。また、誤りビット数カウンタＫの値ｋが１６を超える場合は、処理部４は、アンテナマークのみを表示し（図１１の表示図案Ｎｏ．４）、通信品質の状態が悪いこと、すなわち通信圏外であることを（ステップＳ２１）、利用者に対して報知する。
【００５３】
ここで、上述した、誤りビット数カウンタＫの値ｋが３ビット以下の、通信品質の状態（電波の受信状況）がまあまあ良好である状態は、ビット誤り率に換算すると、概ね１×１０−３に相当する。また、誤りビット数カウンタＫの値ｋが１６ビット以下の、通信品質の状態がやや悪い状態は、ビット誤り率に換算すると、概ね５×１０−３に相当する。
【００５４】
そして、これらステップＳ２１，６１，７１，８１による通信品質の状態の表示後、処理部４は、次の通信品質の状態表示に備えて、誤りビット数カウンタＫの値ｋ、及びバッチカウンタＢの値ｂをリセットし（ステップＳ２２，２３）、インターバルカウンタ（タイムカウンタ）ｔの計時をストップした上（ステップＳ２４）、再び同期検出信号Ｓｙｎの検出処理（ステップＳ１０）に戻る。
【００５５】
このように構成された本実施例によれば、同期コードワード信号ＳＣ中に発生する誤りビットの総数ｋを統計的に計数管理することによって、受信ビット誤り率を等価的に計測したのと同様の効果を有するようになり、受信電波の入力電界強度を計測する手段を持たずして受信品質の段階分け表示を実現することが可能となる。
【００５６】
なお、本実施例のステップＳ６０等における、誤りビットの総数ｋの判断基準値は、一例として挙げたものなので、システムに適した数値に選択可能であることは言うまでもない。
【００５７】
また、本実施例は、全バッチにおける誤りビットの総数ｋの統計と、１バッチ内で生じる誤りビット数ｋｉｎとの統計とを適宜組み合わせて、受信品質の状態の段階を判定することも可能である。
【００５８】
＜第２の実施例＞
図７は、信号処理部による受信状況処理の第２の実施例のフローチャートである。
以下、図６に基づいて、本実施例の信号処理部４による受信状況処理について説明する。
【００５９】
信号処理部４は、同期検出信号Ｓｙｎがコードワード検出部２５から供給されているか否か（ステップＳ１００）、コードワードのメッセージコードワードすなわちメッセージコードワード信号ＭＥＳのメッセージデータＭＤ部分が復号部２４から供給されているか否か（ステップＳ１１０）、データバッチＤＢの欠落等を判断するためのインターバルカウンタ（タイムカウンタ）ｔのカウント値が予め定められた所定値ｔ１に達しているか否かを判別する。
【００６０】
なお、上記データバッチＤＢの欠落等を判断するためのインターバルカウンタ（タイムカウンタ）ｔには、受信状況処理の開始に際して、予め定められた所定値ｔ１が初期設定されている。
【００６１】
信号処理部４は、同期検出信号Ｓｙｎがコードワード検出部２５から供給され，同期コードワード信号ＳＣを検出すると（ステップＳ１００）、データバッチＤＢの数を計数するバッチカウンタＢの値ｂをインクリメントし（ステップＳ１１０）、データバッチＤＢの欠落等を判断するためのインターバルカウンタ（タイムカウンタ）ｔをリセット／スタートしてその計時を開始させるとともに（ステップＳ１２０）、バッチカウンタＢの値ｂが１０未満であるか否かを判別する（ステップＳ４００）。
【００６２】
そして、信号処理部４は、バッチカウンタＢの値ｂが１０未満である、すなわち受信信号の受信を開始して間もない場合は（ステップＳ４００）、前述のステップＳ１００，２００，３００からなる一連の検出処理に戻る。
【００６３】
また、信号処理部４は、メッセージコードワード信号ＭＥＳのメッセージデータＭＤ部分が復号部２４から供給されている場合は（ステップＳ２００）、メッセージコードワード信号ＭＥＳの供給回数、すなわちメッセージコードワードの取得数を計数するメッセージＣＷカウンタＭの値ｍをインクリメントする（ステップＳ２１０）。なお、このメッセージＣＷカウンタＭの値ｍは、初期設定においてゼロリセットされている。
【００６４】
そして、信号処理部４は、復号部２４から供給されるエラー状況信号Ｅｍｅｓにより、今回のメッセージコードワード信号ＭＥＳの検出の際の誤りビット数ｋｉｎを取得する（ステップＳ２２０）。
【００６５】
信号処理部４は、この取得した誤りビット数ｋｉｎを、信号処理部４に備えられている図示せぬ誤りビット数メモリＭｅｍに記憶する（ステップＳ２３０）。この誤りビット数メモリＭｅｍは、予め定められた所定数のメッセージコードワード信号ＭＥＳ分だけ、各メッセージコードワード信号ＭＥＳの誤りビット数をＦＩＦＯ（Ｆａｓｔ　Ｉｎ　Ｆａｓｔ　Ｏｕｔ）方式で記憶できる構成になっている。
【００６６】
信号処理部４は、この誤りビット数メモリＭｅｍに、今回受信したメッセージコードワード信号ＭＥＳの誤りビット数ｋｉｎを記憶した後、前述のステップＳ１００，２００，３００からなる一連の検出処理に戻る。
【００６７】
一方、信号処理部４は、データバッチＤＢの欠落等を判断するためのインターバルカウンタ（タイムカウンタ）ｔのカウント値が予め定められた所定値ｔ１に達している場合は（ステップＳ３００）、データバッチＤＢ自体が受信できない、又はできなくなったものとして、データバッチＤＢの数を計数するバッチカウンタＢの値ｂをリセットし（ステップＳ３１０）、メッセージコードワードの取得数を計数するメッセージＣＷカウンタＭの値ｍをリセットするとともに（ステップＳ３２０）、インターバルカウンタ（タイムカウンタ）ｔのカウントを停止させる（ステップＳ３３０）。
【００６８】
そして、信号処理部４は、ページャ受信機１がいわゆる圏外にあるものとして、後述する通信品質の状態（電波の受信状況）の表示部１０７への表示を取り止め、既に表示部１０７に表示されている表示は消去する（ステップＳ４１０）。
【００６９】
この後、信号処理部４は、また、通信品質の状態確認に備えて、前述のステップＳ１００，２００，３００からなる一連の検出処理に戻る。
【００７０】
ところで、本実施例のページャ受信機１では、受信状況処理の初期段階において、利用者に通信品質の状態（電波の受信状況）をいち早く報知するため、信号処理部４は、次に説明するステップＳ４００以降の処理を行っている。
【００７１】
すなわち、信号処理部４は、前述したステップＳ１００で、コードワード検出部２５から同期検出信号Ｓｙｎが供給される毎に、ステップＳ１１０によりバッチカウンタＢによって計数される処理バッチ数ｂに応じた通信品質の状態確認を行う構成になっている。なお、この処理バッチ数ｂは、取得コードワード数（取得ＣＷ数）に対応する。
【００７２】
そのために、本実施例では、信号処理部４は、バッチカウンタＢにより計数された処理バッチ数ｂが、１０より少ないか否か（ステップＳ４００）、１０以上３１未満であるか否か（ステップＳ５００）、３１以上６３未満であるか否か（ステップＳ６００）、６３以上９９未満であるか否か（ステップＳ７００）、１００以上であるか否か（ステップＳ７００）によって、第１の実施例で説明した図１１に示した表示図案Ｎｏ．１〜４の表示条件を異ならせて、この表示図案Ｎｏ．１〜４を表示部１０７に対する表示処理Ｄ０〜Ｄ４を行う構成となっている。
【００７３】
図８は、処理バッチ数の値範囲に応じた表示図案Ｎｏ．１〜４の表示条件と、この表示条件に基づき信号処理部が行う表示処理Ｄ０〜Ｄ４との説明図である。
【００７４】
なお、図８中において、表示処理Ｄ０〜Ｄ４の項目に対応させて記載したステップ番号Ｓ４１０〜８１０は、図７中に示した同じステップ番号Ｓの表示処理Ｄ０〜Ｄ４に対応する。
【００７５】
まず、処理バッチ数ｂが１０バッチより少ない場合（ステップＳ４００）、信号処理部４は表示処理Ｄ０を行い、アンテナマークのインデックス，３本のバーからなる通信品質の状態表示を表示部１０７に表示せず（ステップＳ４１０）、利用者に通信品質の状態を調査中（通信品質の状態表示が準備中）であることを知らせる。
【００７６】
処理バッチ数ｂが１０以上３１未満で（ステップＳ５００）、図８に示した１０〜３０バッチの値範囲である場合、信号処理部４は表示処理Ｄ１を行う。
【００７７】
この場合、図７にその詳細を示すように、信号処理部４は、メッセージコードワードの取得数を計数するメッセージＣＷカウンタＭの値ｍが０であるか否か、すなわちメッセージコードワードが未検出であるか否かを判別し（ステップＳ５１１）、取得した誤りビット数ｋｉｎが３以上であるか否かに基づき、今回のメッセージコードワード信号ＭＥＳに３ビット以上の誤りがあるか否かを判別する（ステップＳ５１２）。
【００７８】
この結果、処理部４は、メッセージコードワードが未検出であるか、又は今回のメッセージコードワード信号ＭＥＳに３ビット以上の誤りがある場合は、表示図案Ｎｏ４を、表示部１０７に表示する（ステップＳ５１３）。
【００７９】
逆に、処理部４は、メッセージコードワードが検出済みであり、かつ今回のメッセージコードワード信号ＭＥＳに３ビット以上の誤りが無い場合は、メッセージＣＷカウンタＭの値ｍ分に対応するメッセージコードワード信号ＭＥＳ分の数だけ、予め定められた所定数のメッセージコードワード信号ＭＥＳ分について各メッセージコードワード信号ＭＥＳの誤りビット数がＦＩＦＯ（Ｆａｓｔ　Ｉｎ　Ｆａｓｔ　Ｏｕｔ）方式で記憶されている誤りビット数メモリＭｅｍから、誤りビット数ｋｉｎのデータを記憶が新しい順番に読み出し、これら読み出した各誤りビット数ｋｉｎのデータを加算して、積算誤りビット数ＫＴを演算する（ステップＳ５１４）。
【００８０】
そして、処理部４は、積算誤りビット数ＫＴの演算結果が１ビット以上である否かを判別し（ステップＳ５１５）、１ビット以上である場合は、表示図案Ｎｏ．３を表示部１０７に表示する一方（ステップＳ５１６）、１ビットも無い場合は、表示図案Ｎｏ．１を表示部１０７に表示する（ステップＳ５１７）。
【００８１】
このようにして、図７ではその詳細処理の図示を省略するが、処理部４は、バッチカウンタＢにより計数された処理バッチ数ｂに応じて、処理バッチ数ｂが３１〜６２バッチの値範囲である場合は表示処理Ｄ２（ステップＳ６１０）を、処理バッチ数ｂが６３〜９９バッチの値範囲である場合は表示処理Ｄ３（ステップＳ７１０）を、また処理バッチ数ｂが１００バッチ以上の場合は表示処理Ｄ４（ステップＳ８１０）を、それぞれ上記表示処理Ｄ１の場合と同様にして、メッセージＣＷカウンタＭの値ｍ，取得した誤りビット数ｋｉｎ，誤りビット数メモリＭｅｍ等のデータを利用して行う。
【００８２】
したがって、本実施例によれば、処理バッチ数ｂに応じて、通信品質の状態すなわち電波の受信状況を、適確に利用者に報知することができる。
【００８３】
このように構成された本実施例によれば、ページャ受信機１の復号部２４からメッセージコードワード信号ＭＥＳのメッセージデータＭＤ部分とともに出力されるエラー状況信号Ｅｍｅｓにより、誤りビット数ｋｉｎの検出動作を行い、受信したメッセージコードワード信号ＭＥＳの数に対する、積算誤り発生ビット数ＫＴの比率を算出し、この算出結果を基に、通信品質の段階的判定を擬似的に実現することができる。
【００８４】
そして、本実施例によれば、復号部２４における誤りビットの検出や誤りビットの訂正の過程及び結果は、信号処理部４にて集計ができるようになっているので、受信したメッセージコードワード信号ＭＥＳのメッセージデータＭＤ部分に含まれる誤り発生ビットｋｉｎの総数ＫＴを掌握することが可能である。
【００８５】
また、処理バッチ数ｂに基づいて求められる全受信ビット数（すなわち、図８中の総ビット数）と誤り発生ビットの総数ＫＴの比を演算することにより、ビット誤り率の推定ができる。
【００８６】
この結果を基に、本実施例は、第１の実施例で説明したのと同様の考え方により、通信品質の段階を分類することによって、受信品質の段階分け表示が実現できる。
【００８７】
以上、本実施例によれば、メッセージコードワード（ユーザデータ）信号ＭＥＳ中に発生する誤り発生ビットｋｉｎの総数ＫＴを統計的に計数管理することによって、受信ビット誤り率を等価的に計測したのと同様の効果を有するようになり、これによって入力電界強度を計測する手段を持たずして受信品質の段階分け表示を実現することが可能になる。
【００８８】
＜第３の実施例＞
本実施例は、図６に示した信号処理部４による受信状況処理の第１の実施例において、そのステップＳ４０とステップＳ５０との間に、図９のフローチャートに示す処理が追加されて構成されている。
【００８９】
図９は、信号処理部による受信状況処理の第３の実施例として、図６に示した信号処理部による受信状況処理に対する追加処理のフローチャートである。
【００９０】
本実施例は、信号処理部４に、今回取得した同期コードワード検出信号ＳＣの検出の際の誤りビット数ｋｉｎが０ビットである場合にインクリメントされ（ステップＳ４１，４３）、誤りビット数ｋｉｎが０ビットない場合にリセットされる（ステップＳ４１，４３）構成の誤り無し数カウンタＱを備えている。
【００９１】
これにより、本実施例では、この誤り無し数カウンタＱのカウント値ｑに基づいて、誤りの検出されない同期コードワード検出信号ＳＣの数が１０バッチ連続した場合には（ステップＳ４４）、現在判定されている通信品質の状態表示を１ランクアップさせ（ステップＳ４６）、誤りの検出されない同期コードワード検出信号ＳＣの数が２０バッチ連続した場合には（ステップＳ４５）、無条件で最高位の通信品質の状態表示（図１１に示した表示図案Ｎｏ．１）を表示する（ステップＳ４７）。
【００９２】
この結果、本実施例によれば、通信品質が良好な場所での、通信品質の状態判定の即応性が向上する。
【００９３】
【発明の効果】
以上のように、本発明のページャ受信機によれば、同期コードワード信号中、又はメッセージコードワード信号中に発生する誤りビットを、受信した複数の同期コードワード信号、又は受信した複数のメッセージコードワード信号に対して、その総数を統計的に計数管理することによって、受信する一の同期コードワード信号又はメッセージコードワード信号における受信誤りビット率を等価的に計測したのと同様な効果を有するようになり、従来のページャ受信機の受信回路のハードウェア構成の変更を最小限に抑え、通信品質の状態を段階的に利用者に報知することによって、通信エリアの限界付近における利用者の判断基準を明確にすることができる。
【図面の簡単な説明】
【図１】本発明の一実施の形態によるページャ受信機の構成図である。
【図２】ＰＯＣＳＡＧ方式の無線呼出（ページャ）システムにおける受信信号のフォーマットの説明図である。
【図３】同期コードワード信号のビット構成の説明図である。
【図４】メッセージコードワード信号の構成の説明図である。
【図５】コードワード検出部，復号部から信号処理部に供給されるエラー状況信号の説明図である。
【図６】信号処理部による受信状況処理の第１の実施例のフローチャートである。
【図７】信号処理部による受信状況処理の第２の実施例のフローチャートである。
【図８】処理バッチ数の値範囲に応じた表示図案Ｎｏ．１〜４の表示条件と、この表示条件に基づき信号処理部が行う表示処理との説明図である。
【図９】信号処理部による受信状況処理の第３の実施例として、図６に示した信号処理部による受信状況処理に対する追加処理のフローチャートである。
【図１０】従来の携帯型通信端末装置の一例としての、一般の携帯型電話機の構成図である。
【図１１】受信電界検出部によって表示部に表示される、通信品質の状態を示す指標の表示例の説明図である。
【符号の説明】
１　携帯型電話機
４　信号処理部
２４　復号部
２５　コードワード検出部
１００　携帯型電話機
１０１　アンテナ
１０２　アンテナ共用部
１０３　局部発振部
１０４　信号処理部
１０５　音声処理部
１０６　操作部
１０７　表示部
１２１　受信高周波部
１２２　受信中間周波部
１２３　復調部
１２６　受話部
１２７　受信電界検出部
【図１】
2004040572.tif 000003
【図２】
2004040572.tif 000004
【図３】
2004040572.tif 000005
【図４】
2004040572.tif 000006
【図５】
2004040572.tif 000007
【図６】
2004040572.tif 000008
【図７】
2004040572.tif 000009
【図８】
2004040572.tif 000010
【図９】
2004040572.tif 000011
【図１０】
2004040572.tif 000012
【図１１】
2004040572.tif 000013